Podtech/llm-jp-corpus-v4-ja_patent huggingface dataset:
【手続補正書】
【提出日】平成30年12月13日(2018.12.13)
【手続補正１】
【補正対象書類名】明細書
【補正対象項目名】００１０
【補正方法】変更
【補正の内容】
【００１０】
上記目的を達成するため、本発明は、
衛星から送信される符号信号を含む電波を受信する受信手段と、
受信した電波から前記符号信号を取得する取得手段と、
を備え、
前記取得手段は、
前記符号信号を変調している変調符号列の送信周期に応じた前記符号信号の所定データを取得し、
取得された所定データと、当該所定データとして出現が想定され得る照合データとを照合し、当該照合の結果に基づいて前記符号信号を取得する
ことを特徴とする衛星電波受信装置である。
【手続補正２】
【補正対象書類名】特許請求の範囲
【補正対象項目名】全文
【補正方法】変更
【補正の内容】
【特許請求の範囲】
【請求項１】
衛星から送信される符号信号を含む電波を受信する受信手段と、
受信した電波から前記符号信号を取得する取得手段と、
を備え、
前記取得手段は、
前記符号信号を変調している変調符号列の送信周期に応じた前記符号信号の所定データを取得し、
取得された所定データと、当該所定データとして出現が想定され得る照合データとを照合し、当該照合の結果に基づいて前記符号信号を取得する
ことを特徴とする衛星電波受信装置。
【請求項２】
前記取得手段は、前記照合の結果が所定の条件を満たす前記照合データに応じて前記符号信号を取得する取得タイミングを取得することを特徴とする請求項１に記載の衛星電波受信装置。
【請求項３】
前記取得タイミングは、前記符号信号における各符号の先頭タイミングであり、
取得した前記先頭タイミングに基づいて前記符号信号における各符号を取得することを特徴とする請求項２に記載の衛星電波受信装置。
【請求項４】
前記取得手段は、前記符号信号を変調している変調符号列の送信周期内の位相を取得し、前記送信周期に応じた時間ごとの前記符号信号の前記所定データを取得することを特徴とする請求項１〜３のいずれか一項に記載の衛星電波受信装置。
【請求項５】
請求項１〜４の何れか一項に記載の衛星電波受信装置と、
日時を計数する計時手段と、
前記計時手段が計数する日時に基づく時刻の表示を行う表示手段と、
を備え、
前記取得手段は、取得された前記符号信号から現在の日時を求め、当該求められた現在の日時に応じて前記計時手段が計数する日時を修正する
ことを特徴とする電波時計。
【請求項６】
衛星から送信される符号信号を含む電波の受信信号から前記符号信号を取得する符号信号取得方法であって、
前記符号信号を変調している変調符号列の送信周期に応じた前記符号信号の所定データを取得する符号信号データ取得ステップ、
取得された所定データと、当該所定データとして出現が想定され得る複数の照合データとを照合し、当該照合の結果に基づいて前記符号信号を取得する符号信号取得ステップ、
を含むことを特徴とする符号信号取得方法。
【請求項７】
衛星から送信される符号信号を含む電波の受信信号から当該符号信号を取得するコンピュータを、
前記符号信号を変調している変調符号列の送信周期に応じた前記符号信号の所定データを取得する符号信号データ取得手段、
取得された所定データと、当該所定データとして出現が想定され得る複数の照合データとを照合し、当該照合の結果に基づいて前記符号信号を取得する符号信号取得手段、
として機能させることを特徴とするプログラム。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
主として粉塵の発生源となる生活用品、事務用品等を収納するための収納部を、空気清浄機本体の上面部分でかつ吸込み口の近傍に設けたことを特徴とする空気清浄機。
【請求項２】
収納部の内部の粉塵を吸引し清浄化するために、収納部の吸込み口に面した部分に、少なくとも一個の通気口を設けたことを特徴とする請求項１に記載の空気清浄機。
【請求項３】
収納部に、開閉可能なカバーを設けたことを特徴とする請求項１もしくは請求項２に記載の空気清浄機。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
表示部および検知部を有する入出力装置と、
演算装置と、を有し、
前記検知部は、前記演算装置に検知情報を供給する機能を備え、
前記表示部は、画像情報を表示する機能を備え、
前記演算装置は、前記画像情報を生成し、前記画像情報を前記入出力装置に供給する機能を備え、
前記演算装置は、前記検知情報および前記画像情報に基づいて、制御情報を生成し、前記入出力装置に前記制御情報を供給する機能を備え、
前記制御情報は、第１のステータスまたは第２のステータスを含み、
前記第１のステータスの前記制御情報が前記入出力装置に供給された場合に、前記画像情報を前記表示部が有する第１の駆動回路に供給し、背景情報を前記表示部が有する第２の駆動回路に供給する機能を備え、
前記第２のステータスの前記制御情報が前記入出力装置に供給された場合に、前記背景情報を前記第１の駆動回路に供給し、前記画像情報を前記第２の駆動回路に供給する機能を備える情報処理装置。
【請求項２】
請求項１において、
前記表示部は、
前記第１の駆動回路と電気的に接続される第１の信号線と、
前記第２の駆動回路と電気的に接続される第２の信号線と、
前記第１の信号線と電気的に接続される第１の画素群と、
前記第２の信号線と電気的に接続される第２の画素群と、を有する情報処理装置。
【請求項３】
請求項２において、
前記第１の画素群は、反射型の表示素子であり、
前記第２の画素群は、発光素子を有する情報処理装置。
【請求項４】
請求項１乃至請求項３のいずれか一において、
前記検知部は、照度センサを有し、
前記検知情報は、使用される環境の照度情報を含む情報処理装置。
【請求項５】
請求項１乃至請求項４のいずれか一において、
前記検知情報に対して、第１の閾値と、前記第１の閾値よりも大きい第２の閾値がある場合において、
前記検知情報が前記第１の閾値未満である場合は、前記第２のステータスの前記制御情報が前記入出力装置に供給され、
前記検知情報が前記第２の閾値以上である場合は、前記第１のステータスの前記制御情報が前記入出力装置に供給され、
前記検知情報が前記第１の閾値以上前記第２の閾値未満である場合は、前記画像情報が写真または動画像を含むときに、前記第２のステータスの前記制御情報が前記入出力装置に供給され、前記画像情報が写真または動画像を含まないときに、前記第１のステータスの前記制御情報が前記入出力装置に供給される情報処理装置。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
第１の受光素子を有する第１の受光回路と、表示素子を有する画素回路と、を有し、
前記第１の受光素子の露光量の変化に応じて、前記表示素子の階調が変化する、
表示装置。
【請求項２】
請求項１において、
前記露光量が減少することに応じて、前記表示素子の階調が低くなる、
表示装置。
【請求項３】
請求項１または請求項２において、
前記表示素子は、発光素子または液晶素子である、
表示装置。
【請求項４】
請求項１乃至請求項３のいずれか一において、
前記画素回路と、前記第１の受光回路とは、同一基板上に形成された、
表示装置。
【請求項５】
第１の受光回路と、画素回路と、を有する表示装置であって、
前記第１の受光回路は、第１の受光素子と、前記第１の受光素子と直列に接続された第１のトランジスタを有し、
前記画素回路は、発光素子と、前記発光素子と直列に接続された第２のトランジスタを有し、
前記第２のトランジスタは、第１のゲート及び第２のゲートを有し、
前記第１の受光素子と前記第１のトランジスタの間の第１のノードと、前記第２のトランジスタの前記第１のゲートまたは前記第２のゲートのいずれか一方とが、電気的に接続された、
表示装置。
【請求項６】
第１の受光回路と、画素回路と、を有する表示装置であって、
前記第１の受光回路は、第１の受光素子と、前記第１の受光素子と直列に接続された第１のトランジスタを有し、
前記画素回路は、液晶素子と、前記液晶素子と直列に接続された第３のトランジスタを有し、
前記第１の受光素子と前記第１のトランジスタの間の第１のノードと、前記第３のトランジスタと前記液晶素子との間の第３のノードとが、電気的に接続された、
表示装置。
【請求項７】
請求項５または請求項６において、
前記第１の受光回路は、前記第１の受光素子と前記第１のトランジスタとの間に直列に接続された第４のトランジスタを有し、
前記第１のノードは、前記第１のトランジスタと前記第４のトランジスタの間のノードであり、
前記第１のトランジスタが導通状態であり、且つ前記第４のトランジスタが非導通状態であるときに、前記第１のノードの電位がリセットされ、
前記第１のトランジスタが非導通状態であり、且つ前記第４のトランジスタが導通状態であるときに、前記第１のノードの電位が前記第１の受光素子における露光量に応じた電位に更新され、
前記第１のトランジスタ及び前記第４のトランジスタが非導通状態のときに、前記第１のノードの電位が保持される、
表示装置。
【請求項８】
請求項７において、
前記第４のトランジスタは、チャネルが形成される半導体に酸化物半導体を含む、
表示装置。
【請求項９】
請求項５乃至請求項８のいずれか一において、
前記第１のトランジスタは、チャネルが形成される半導体に酸化物半導体を含む、
表示装置。
【請求項１０】
請求項１乃至請求項９のいずれか一において、
第２の受光素子を有する第２の受光回路と、回路と、を有し、
前記第２の受光回路は、前記第２の受光素子の露光量に基づく信号を出力する機能を有し、
前記回路は、前記信号に基づいてタッチ動作を検出する機能を有する、
表示装置。
【手続補正書】
【提出日】令和1年8月2日(2019.8.2)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１のトランジスタと、第２のトランジスタと、第１の表示素子と、第２の表示素子と、を有し、
前記第１の表示素子上に、第１の絶縁膜が設けられ、
前記第１のトランジスタは、前記第１の絶縁膜上に第１のゲート電極を有し、
前記第２のトランジスタは、前記第１の絶縁膜上に第２のゲート電極を有し、
前記第１のトランジスタは、前記第１のゲート電極上に第１の半導体膜を有し、
前記第２のトランジスタは、前記第２のゲート電極上に第２の半導体膜を有し、
前記第１のトランジスタは、前記第１の半導体膜に電気的に接続された第１の導電膜と、前記第１の半導体膜に電気的に接続された第２の導電膜と、を有し、
前記第２のトランジスタは、前記第２の半導体膜に電気的に接続された第３の導電膜と、前記第２の半導体膜に電気的に接続された第４の導電膜と、を有し、
前記第１のトランジスタ上、及び前記第２のトランジスタ上に、第２の絶縁膜が設けられ、
前記第２の絶縁膜上に、前記第２の表示素子が設けられ、
前記第１の導電膜は、前記第１の絶縁膜の開口部を介して前記第１の表示素子が有する第１の電極に電気的に接続され、
前記第３の導電膜は、前記第２の絶縁膜の開口部を介して前記第２の表示素子が有する第２の電極に電気的に接続される表示装置。
【請求項２】
請求項１において、
前記第１の半導体膜または前記第２の半導体膜は、酸化物半導体を含む表示装置。
【請求項３】
請求項１または請求項２において、
前記第２の表示素子は、前記第１の表示素子が備える視野角の一部と重なる視野角を備える表示装置。
【請求項４】
請求項１乃至請求項３のいずれか一において、
前記第２の表示素子が表示をする領域は、前記第１の表示素子が表示をする領域に囲まれた領域を有する表示装置。
【請求項５】
請求項１乃至請求項４のいずれか一において、
前記第１の表示素子は、反射膜と、反射する光の強さを制御する機能と、を有し、
前記反射膜は、入射する光を反射する機能を有し、
前記第２の表示素子は、前記反射膜が有する開口部から光を射出する機能を有する表示装置。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
電子機器に取り付け可能な表示装置であって、
前記電子機器は、筐体と、第１の表示部と、第２の表示部と、を有し、
前記第１の表示部は、前記電子機器の上面を含む第１の面に位置し、
前記第２の表示部は、前記電子機器の第１の側面を含む第２の面に位置し、
前記表示装置は、支持部と、接続部と、第３の表示部と、を有し、
前記第３の表示部は、前記表示装置の第３の面に位置し、
前記接続部は、前記電子機器と接続する機能を有し、且つ、前記表示装置と前記電子機器との相対位置を第１の形態と、第２の形態との間で可逆的に変化させる機能を有し、
前記第１の形態は、前記接続部が曲がり、前記表示装置と前記電子機器とが重なった形態であり、
前記第２の形態は、前記表示装置と前記電子機器とが開いて、前記第１の表示部、前記第２の表示部、及び前記第３の表示部が視認可能な形態であり、
前記支持部は、透光性を有する部分を有し、
前記第１の形態において、前記透光性を有する部分は、前記第２の表示部と重なり、且つ前記電子機器の前記第１の側面の一部を覆う、表示装置。
【請求項２】
請求項１において、
前記第３の表示部は、液晶素子と、発光素子が積層して配置された部分を有し、
前記液晶素子は、可視光を反射し、且つ開口を有する第１の電極を有し、
前記発光素子は、前記開口を介して光を射出する機能を有する、表示装置。
【請求項３】
請求項１又は請求項２において、
前記支持部は、可撓性を有し、前記第３の表示部を曲げることができる機能を有する、表示装置。
【請求項４】
表示装置を取り付け可能な電子機器であって、
前記電子機器は、筐体と、第１の表示部と、第２の表示部と、を有し、
前記第１の表示部は、前記電子機器の上面を含む第１の面に位置し、
前記第２の表示部は、前記電子機器の第１の側面を含む第２の面に位置し、
前記表示装置は、支持部と、接続部と、第３の表示部と、を有し、
前記第３の表示部は、前記表示装置の第３の面に位置し、
前記接続部は、前記電子機器と接続する機能を有し、且つ、前記表示装置と前記電子機器との相対位置を第１の形態と、第２の形態との間で可逆的に変化させる機能を有し、
前記第１の形態は、前記接続部が曲がり、前記表示装置と前記電子機器とが重なった形態であり、
前記第２の形態は、前記表示装置と前記電子機器とが開いて、前記第１の表示部、前記第２の表示部、及び前記第３の表示部が視認可能な形態であり、
前記支持部は、透光性を有する部分を有し、
前記第１の形態において、前記透光性を有する部分は、前記第２の表示部と重なり、且つ前記電子機器の前記第１の側面の一部を覆う、電子機器。
【請求項５】
請求項４において、
前記接続部は、前記第１の側面とは反対側に位置する第２の側面に取り付け可能である、電子機器。
【請求項６】
請求項４又は請求項５において、
前記第１の表示部と、前記第２の表示部とは、一の表示パネルにより構成され、
前記第２の表示部は、湾曲した部分を有する、電子機器。
【請求項７】
請求項１乃至請求項３のいずれか一に記載の表示装置と、
請求項４乃至請求項６のいずれか一に記載の電子機器と、を有する、システム。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
レンズ部を保持するレンズホルダーの周囲に配置される第１のコイル部と、前記第１のコイル部に対して径方向に離間して配置されるマグネット部と、前記マグネット部を含むオートフォーカス固定部に対して前記第１のコイル部を含むオートフォーカス可動部を光軸方向に移動可能に支持する第１の支持部材と、を有し、前記第１のコイル部と前記マグネット部とで構成されるボイスコイルモーターの駆動力を利用して自動的にピント合わせを行うオートフォーカス用駆動部と、
前記オートフォーカス用駆動部に配置される前記マグネット部と、前記マグネット部に対して光軸方向に離間して配置される第２のコイル部と、前記第２のコイル部を含む振れ補正固定部に対して前記マグネット部を含む振れ補正可動部を光軸直交面内で揺動可能に支持する第２の支持部材と、を有し、前記第２のコイル部と前記マグネット部で構成されるボイスコイルモーターの駆動力を利用して振れ補正を行う振れ補正用駆動部と、
を備えるレンズ駆動装置であって、
前記マグネット部は、平面視で、略矩形状の四辺のうちの対向する二辺に配置される第１のマグネットと他の一辺に配置される第２のマグネットとを有し、前記第２のマグネットが対向する辺は、マグネットが配置されないマグネット非配置部となっている
レンズ駆動装置。
【請求項２】
前記振れ補正固定部は、前記マグネット部、又は前記振れ補正可動部に配置された位置検出用磁石によって形成される磁界を検出するホール素子を有する、
請求項１に記載のレンズ駆動装置。
【請求項３】
前記ホール素子は、前記マグネット非配置部となっている前記辺に隣接する前記対向する二辺のうちの一辺と、前記マグネット非配置部となっている前記辺に対向する前記他の一辺と、にそれぞれ配置され、
前記ホール素子が配置されている各辺における前記第２のコイル部は、二分割されている、
請求項２に記載のレンズ駆動装置。
【請求項４】
レンズホルダーの周囲に配置される第１のコイル部と、前記第１のコイル部に対して径方向に離間して配置されるマグネット部と、を含み、前記マグネット部を含む第１の固定部に対して、前記レンズホルダーと前記第１のコイル部とを含む第１の可動部を、前記第１のコイル部と前記マグネット部とで構成される第１のボイスコイルモーターの駆動力を利用して、光軸方向に移動させる、第１の駆動部と、
前記マグネット部と、前記マグネット部に対して光軸方向に離間して配置される第２のコイル部と、を有し、前記第２のコイル部を含む第２の固定部に対して、前記第１の固定部と前記第１の可動部とを含む第２の可動部を、前記第２のコイル部と前記マグネット部で構成される第２のボイスコイルモーターの駆動力を利用して、光軸直交面内で揺動させる、第２の駆動部と、
を備え、
前記マグネット部は、複数のマグネットを含み、前記複数のマグネットは、前記光軸直交面を平面視した場合に前記光軸を略矩形状に囲む四辺のうちの三辺に、残余の一辺を除いて配置される、
レンズ駆動装置。
【請求項５】
前記マグネット部は、前記四辺のうちの対向する二辺に配置される第１のマグネットと他の一辺に配置される第２のマグネットとを含み、
マグネットが配置されないマグネット非配置部が、前記残余の一辺に配置される、
請求項４に記載のレンズ駆動装置。
【請求項６】
前記第２の固定部は、前記マグネット部、又は前記第２の可動部に配置された位置検出用磁石によって形成される磁界を検出するホール素子を有する、
請求項４又は５に記載のレンズ駆動装置。
【請求項７】
前記第２の固定部は、前記マグネット部、又は前記第２の可動部に配置された位置検出用磁石によって形成される磁界を検出するホール素子を有し、
前記ホール素子は、前記マグネット非配置部となっている辺に隣接する前記対向する二辺のうちの一辺と、前記マグネット非配置部となっている辺に対向する前記他の一辺と、にそれぞれ配置され、
前記ホール素子が配置されている各辺における前記第２のコイル部は、二分割されている、
請求項５に記載のレンズ駆動装置。
【請求項８】
前記レンズホルダーは、前記マグネット部を保持するマグネットホルダーの内側のうち、前記マグネット非配置部の側に偏位して配置される
ことを特徴とする請求項１又は５に記載のレンズ駆動装置。
【請求項９】
前記第２のマグネットは、前記第１のマグネットよりも大きいサイズを有する
ことを特徴とする請求項８に記載のレンズ駆動装置。
【請求項１０】
前記第１のマグネットは、前記マグネット非配置部の側に偏位して配置された
ことを特徴とする請求項１又は５に記載のレンズ駆動装置。
【請求項１１】
前記第１のコイル部は、前記第１のマグネットそれぞれに対して対向する領域、及び前記第２のマグネットに対して対向する領域が略同一の長さとなる形状を呈する
ことを特徴とする請求項１０に記載のレンズ駆動装置。
【請求項１２】
前記マグネット非配置部には、非磁性材料のバランスウェイトが配置された
ことを特徴とする請求項１又は５に記載のレンズ駆動装置。
【請求項１３】
前記第２のマグネットは、長手方向に直交する断面における着磁領域が光軸方向と径方向それぞれに二分割され、隣接する着磁領域同士が互いに異なる磁極に着磁された
ことを特徴とする請求項１又は５に記載のレンズ駆動装置。
【請求項１４】
前記第２のマグネットと前記第１のコイル部の間に介在するヨークを、更に備える
ことを特徴とする請求項１又は５に記載のレンズ駆動装置。
【請求項１５】
前記ヨークは、前記第２のマグネットと前記第１のコイル部の間から延在し、前記第１のマグネットそれぞれを外周から囲むように、前記マグネット部を保持するマグネットホルダーの外縁部に沿って配置される
ことを特徴とする請求項１４に記載のレンズ駆動装置。
【請求項１６】
請求項１又は４に記載のレンズ駆動装置を備えるカメラモジュール。
【請求項１７】
請求項１６に記載のカメラモジュールを備えるカメラ搭載装置。
【手続補正書】
【提出日】令和1年7月25日(2019.7.25)
【手続補正１】
【補正対象書類名】明細書
【補正対象項目名】００３４
【補正方法】変更
【補正の内容】
【００３４】
本実施の形態の光送信モジュール１２では、高速発光素子１８Ｈの光信号の光パワーは、低速発光素子１８Ｌの光信号の光パワーよりも大きい。これにより、光送信モジュール１２は、低速受光素子２６Ｌよりも感度が低い高速受光素子２６Ｈを有する高速光受信モジュール１４Ｈに対して、低速発光素子１８Ｌの光信号よりも大きな光パワーを有する高速発光素子１８Ｈの光信号を送信し、高速受光素子２６Ｈにより光信号を電流信号に変換することができる。さらに、低増幅器２８Ｈよりも増幅率が高い高増幅器２８Ｌを有する低速光受信モジュール１４Ｌに対して、高速発光素子１８Ｈの光信号よりも小さな光パワーを有する低速発光素子１８Ｌの光信号を送信することができ、低速光受信モジュール１４Ｌにより光信号を電圧信号に変換することができる。
【手続補正２】
【補正対象書類名】明細書
【補正対象項目名】００４４
【補正方法】変更
【補正の内容】
【００４４】
低速受光素子２６Ｌは、高速受光素子２６Ｈよりも受光面積が広く形成されている。低速受光素子２６Ｌの受光面積は、低速発光素子１８Ｌが発光する光信号の光パワーおよび点滅速度に応じて設定され、高速受光素子２６Ｈの受光面積は、高速発光素子１８Ｈが発光する光信号の光パワーおよび点滅速度に応じて設定される。また、低増幅器２８Ｈは、高増幅器２８Ｌよりも増幅率が低く設定されている。
【手続補正３】
【補正対象書類名】明細書
【補正対象項目名】００４６
【補正方法】変更
【補正の内容】
【００４６】
受信信号処理部３０は、波長判別部３２を有している。波長判別部３２は、高増幅器２８Ｌから電圧信号が入力された場合には、光受信モジュール１４で受信した光信号は、低速光送信モジュール１２Ｌから送信された６５０ｎｍの光信号であると判別する。また、波長判別部３２は、低増幅器２８Ｈから電圧信号が入力された場合には、光受信モジュール１４で受信した光信号は、高速光送信モジュール１２Ｈから送信された８５０ｎｍの光信号であると判別する。
【手続補正４】
【補正対象書類名】明細書
【補正対象項目名】００５６
【補正方法】変更
【補正の内容】
【００５６】
光受信モジュール１４は、レンズ２２Ｒ、フィルタ２０Ｒ、低速受光素子２６Ｌ、高増幅器２８Ｌ、高速受光素子２６Ｈ、低増幅器２８Ｈおよび受信信号処理部３０を有している。レンズ２２Ｒは、光ケーブル１６から入力される光信号を集光する。フィルタ２０Ｒは、光送信モジュール１２の低速発光素子１８Ｌにより発光された６５０ｎｍの波長の光信号を透過し、光送信モジュール１２の高速発光素子１８Ｈにより発光された８５０ｎｍの波長の光信号を反射する。
【手続補正５】
【補正対象書類名】明細書
【補正対象項目名】００５９
【補正方法】変更
【補正の内容】
【００５９】
低速受光素子２６Ｌは、高速受光素子２６Ｈよりも受光面積が広く形成されている。低速受光素子２６Ｌの受光面積は、低速発光素子１８Ｌが発光する光信号の光パワーおよび点滅速度に応じて設定され、高速受光素子２６Ｈの受光面積は、高速発光素子１８Ｈが発光する光信号の光パワーおよび点滅速度に応じて設定される。また、光受信モジュール１４の低増幅器２８Ｈは、高増幅器２８Ｌよりも増幅率が低く設定されている。
【手続補正６】
【補正対象書類名】明細書
【補正対象項目名】００６１
【補正方法】変更
【補正の内容】
【００６１】
受信信号処理部３０は、波長判別部３２を有している。波長判別部３２は、高増幅器２８Ｌから電圧信号が入力された場合には、光受信モジュール１４で受信した光信号は、光送信モジュール１２の低速発光素子１８Ｌから送信された６５０ｎｍの光信号であると判別する。また、波長判別部３２は、低増幅器２８Ｈから電圧信号が入力された場合には、光受信モジュール１４で受信した光信号は、光送信モジュール１２の高速発光素子１８Ｈから送信された８５０ｎｍの光信号であると判別する。
【手続補正７】
【補正対象書類名】明細書
【補正対象項目名】００７５
【補正方法】変更
【補正の内容】
【００７５】
光信号の受信を行う光受信モジュール（１４）であって、第１所定波長の前記光信号を受光する低速受光素子（２６Ｌ）と、前記第１所定波長と異なる波長である第２所定波長の前記光信号を受光し、前記低速受光素子（２６Ｌ）よりも高速で動作することが可能な高速受光素子（２６Ｈ）と、受信した前記第１所定波長の前記光信号と前記第２所定波長の前記光信号のうち、一方を透過し、他方を反射して、前記第１所定波長の前記光信号を前記低速受光素子（２６Ｌ）に送り、前記第２所定波長の前記光信号を前記高速受光素子（２６Ｈ）に送る第２フィルタ（３６）と、を有する。これにより、光受信モジュール（１４）は、低速光送信モジュール（１２Ｌ）が接続されている場合には、光信号を低速受光素子（２６Ｌ）により受光し、高速光送信モジュール（１２Ｈ）が接続されている場合には、光信号を高速受光素子（２６Ｈ）により受光する。そのため、光受信モジュール（１４）は、光送信モジュール（１２）が送信する光信号の光パワーおよび点滅速度に応じて、光信号を受光する受光素子（２６）を低速受光素子（２６Ｌ）と高速受光素子（２６Ｈ）との間で切り換えることができ、光信号を電圧信号に変換することができる。
【手続補正８】
【補正対象書類名】特許請求の範囲
【補正対象項目名】請求項９
【補正方法】変更
【補正の内容】
【請求項９】
請求項８に記載の光受信モジュールであって、
前記低速受光素子が出力する電流を電圧信号に変換して増幅する高増幅器と、
前記高速受光素子が出力する電流を電圧信号に変換して増幅する低増幅器と、
を有し、
前記高増幅器の増幅率は、前記低増幅器の増幅率よりも高い、光受信モジュール。
【誤訳訂正書】
【提出日】令和1年8月20日(2019.8.20)
【誤訳訂正１】
【訂正対象書類名】明細書
【訂正対象項目名】００９０
【訂正方法】変更
【訂正の内容】
【００９０】
８３のヒドロキシル価を有するアクリル系ポリオールおよび尿素のカルバミル化は、内容積が３５ｍｌで攪拌棒を装備した４８アレイ型ハイスループット反応器で（ガラス管インサートを使用して）行われ、反応器の上部空間の連続的なＮ２ガスパージによりアンモニア等の揮発性副生成物を効率的に除去する。各反応器は下記表１に示す触媒を含んでいた。試験は４８の組を３回ずつ行い、各組は、ジブチルスズオキシド（Ｂｕ２ＳｎＯ）を使用した４つの対照実験と、触媒を用いない２つの対照実験を含む。
【誤訳訂正２】
【訂正対象書類名】明細書
【訂正対象項目名】００９４
【訂正方法】変更
【訂正の内容】
【００９４】
表１：尿素およびアクリル系ポリオールのカルバミル化組成物
【表１−１】
2016069635.tif 000001
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
基準指標とオブジェクトとを表示部に表示させるとともに、前記基準指標と前記オブジェクトとの相対的な位置関係を時間経過に応じて変位させることにより、ユーザに操作タイミングを案内するプレイモードを有するゲームを提供するゲーム装置であって、
前記プレイモードとは異なる編集モードを有し、
前記編集モードは、
前記基準指標の所定タイミングにおける表示位置の指定を受け付ける操作受付部と、
前記操作受付部で受け付けた前記表示位置及び前記所定のタイミングを登録する登録部と、
を備えるゲーム装置。
【請求項２】
基準指標とオブジェクトとを表示部に表示させるとともに、前記基準指標と前記オブジェクトとの相対的な位置関係を時間経過に応じて変位させることにより、ユーザに操作タイミングを案内するプレイモードを有するゲームを提供するゲーム装置の制御方法であって、
前記プレイモードとは異なる編集モードを有し、
前記編集モードは、
前記基準指標の所定タイミングにおける表示位置の指定を受け付けるステップと、
前記操作受付部で受け付けた前記表示位置及び前記所定のタイミングを登録するステップと、
を備えるゲーム装置の制御方法。
【手続補正２】
【補正対象書類名】明細書
【補正対象項目名】発明の名称
【補正方法】変更
【補正の内容】
【発明の名称】ゲーム装置、及びゲーム装置の制御方法
【手続補正３】
【補正対象書類名】明細書
【補正対象項目名】０００１
【補正方法】変更
【補正の内容】
【０００１】
本発明は、ゲーム装置及びゲーム装置の制御方法に関する。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
動作可能な可動体と、
期待度が異なる複数段階の演出態様により特別演出を実行可能な演出実行手段と、
前記特別演出に対応した表示態様により第１画像を表示可能であるとともに、期待度が異なる複数段階の表示態様により、前記第１画像とは異なる第２画像を表示可能な表示手段と、を備え
前記可動体として、第１可動体と、該第１可動体とは異なる第２可動体と、を含み、
前記表示手段は、異常が生じたことを報知する異常報知画像を表示可能であり、
前記演出実行手段は、前記特別演出として、前記第１可動体を動作させる第１特別演出と、前記第１特別演出より前記有利状態に制御される期待度が高く、前記第２可動体を動作させる第２特別演出と、を実行可能であり、
前記表示手段は、
前記第１画像と前記第２画像とを少なくとも一部が重畳する態様により表示可能であり、
前記異常報知画像を、前記第１画像及び前記第２画像のうち少なくとも１の画像と少なくとも一部が重畳する態様により表示可能であり、
前記第２画像は、前記第１特別演出に対応した表示態様により表示される前記第１画像と比較して画像表示の優先度が高く設定されている一方、前記第２特別演出に対応した表示態様により表示される前記第１画像と比較して画像表示の優先度が低く設定されており、
前記異常報知画像は、前記第１画像及び前記第２画像と比較して画像表示の優先度が高く設定されている、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、識別情報の可変表示を行い、遊技者にとって有利な有利状態に制御可能な遊技機であって、動作可能な可動体と、期待度が異なる複数段階の演出態様により特別演出を実行可能な演出実行手段と、前記特別演出に対応した表示態様により第１画像を表示可能であるとともに、期待度が異なる複数段階の表示態様により、前記第１画像とは異なる第２画像を表示可能な表示手段と、を備え前記可動体として、第１可動体と、該第１可動体とは異なる第２可動体と、を含み、前記表示手段は、異常が生じたことを報知する異常報知画像を表示可能であり、前記演出実行手段は、前記特別演出として、前記第１可動体を動作させる第１特別演出と、前記第１特別演出より前記有利状態に制御される期待度が高く、前記第２可動体を動作させる第２特別演出と、を実行可能であり、前記表示手段は、前記第１画像と前記第２画像とを少なくとも一部が重畳する態様により表示可能であり、前記異常報知画像を、前記第１画像及び前記第２画像のうち少なくとも１の画像と少なくとも一部が重畳する態様により表示可能であり、前記第２画像は、前記第１特別演出に対応した表示態様により表示される前記第１画像と比較して画像表示の優先度が高く設定されている一方、前記第２特別演出に対応した表示態様により表示される前記第１画像と比較して画像表示の優先度が低く設定されており、前記異常報知画像は、前記第１画像及び前記第２画像と比較して画像表示の優先度が高く設定されている、ことを特徴とする。
（手段１）他の態様による遊技機は、遊技を行うことが可能な遊技機であって、期待度が異なる複数段階の演出態様（例えば、第１〜第４演出態様。図９２参照）により特別演出（例えば、役物演出）を実行可能な特別演出実行手段（例えば、演出制御用マイクロコンピュータ９０１００がステップＳ９０８１０８を実行する部分）と、前記特別演出に対応した表示態様により第１画像（例えば、役物エフェクト演出画像）を表示可能であるとともに、期待度が異なる複数段階の表示態様により、前記第１画像とは異なる第２画像（例えば、アクティブ表示や保留表示）を表示可能な表示手段（例えば、演出表示装置９０９）と、所定画像（例えば、演出図柄や背景などの通常演出画像）を表示する所定演出（例えば、変動中演出などの通常演出）の実行中において、前記所定画像の視認性を低下させた状態（例えば、ステップＳ３７０３,Ｓ３７０８が実行された状態）で、特定画像（例えば、疑似導光板画像）を前記所定画像よりも前面側（例えば、通常演出画像を表示する通常表示層よりも表示優先度の高いレイヤーである擬似導光板演出用表示層）に重畳して表示する特定画像演出（例えば、擬似導光板演出）を実行可能である特定画像演出実行手段（例えば、演出制御用マイクロコンピュータ１００のステップＳ３７０４，Ｓ３７０９を実行する部分）とを備え、前記表示手段は、前記第１画像と前記第２画像とを少なくとも一部が重畳する態様により表示可能であり（図９６，図９７参照）、前記第２画像は、前記第１画像と比較して画像表示の優先度が高く設定され（図９６，図９７参照）、前記特定画像よりも前面側において識別情報（例えば、第４図柄、小図柄）を表示可能であることを特徴とする。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
遊技の進行に関する処理を実行する遊技制御手段と、
前記遊技制御手段から送信されるコマンドに基づいて演出の制御を行う演出制御手段と、
前記演出制御手段により制御されて移動動作を行う可動役物手段と、
前記演出制御手段により制御されて発光動作を行う発光手段と、を備え、
前記遊技制御手段は、前記演出制御手段にコマンドを送信可能なコマンド送信手段を有し、
前記演出制御手段は、前記コマンド送信手段が送信した前記コマンドに特定の情報が付加されていたと判断した場合に、ステップ単位で演出の実行を開始し、
前記ステップ単位で演出が開始されたことを契機として、前記コマンドを受信したことに基づいて、前記ステップ単位に応じて、前記可動役物手段及び前記発光手段の演出を制御することを特徴とする遊技機。
【請求項２】
前記演出制御手段は、前記遊技制御手段から遊技の進行を契機としないコマンドを受信するたびにカウントを進める受信カウンタを備え、
前記演出実行手段は、前記受信カウンタが所定の値となったときに、前記ステップ単位で実行される演出の所定ステップの演出を実行又は終了させることを特徴とする請求項１に記載の遊技機。
【請求項３】
前記遊技制御手段は、予め定められた周期で制御を行う周期制御手段を有し、
前記周期制御手段は、
入力ポートから制御信号を入力するための入力ポート取得手段と、
前記遊技の進行を契機としないコマンドを生成する契機外コマンド生成手段と、を有し、
前記入力ポートから入力ポート状態格納領域に制御信号を格納する前に、前記入力ポート状態格納領域に記憶された制御信号を１周期前入力ポート状態格納領域に記憶した後に、現在の制御信号を前記入力ポート状態格納領域に記憶し、
前記入力ポート状態格納領域に記憶された制御信号と前記１周期前入力ポート状態格納領域の制御信号から制御信号の変化に関する情報を変化情報入力ポート状態格納領域に格納し、
前記契機外コマンド生成手段は、前記入力ポート状態格納領域の入力信号の状態を前記演出制御手段に送信することを特徴とする請求項１又は請求項２に記載の遊技機。
【手続補正２】
【補正対象書類名】明細書
【補正対象項目名】０００８
【補正方法】変更
【補正の内容】
【０００８】
本発明に係る遊技機は、上記目的達成のため、
遊技の進行に関する処理を実行する遊技制御手段（主制御回路９１）と、
前記遊技制御手段から送信されるコマンドに基づいて演出の制御を行う演出制御手段（副制御回路１０１）と、
前記演出制御手段により制御されて移動動作を行う可動役物手段（シャッタ装置２００）と、
前記演出制御手段により制御されて発光動作を行う発光手段（ＬＥＤ群２５）と、を備え、
前記遊技制御手段は、前記演出制御手段にコマンドを送信可能なコマンド送信手段（メインＣＰＵ９３）を有し、
前記演出制御手段は、前記コマンド送信手段が送信した前記コマンドに特定の情報（例えば、ロック番号）が付加されていたと判断した場合に、ステップ単位で演出の実行を開始し、
前記ステップ単位で演出が開始されたことを契機として、前記コマンドを受信したことに基づいて、前記ステップ単位に応じて、前記可動役物手段及び前記発光手段の演出を制御する
構成を有している。
【手続補正３】
【補正対象書類名】明細書
【補正対象項目名】００１１
【補正方法】変更
【補正の内容】
【００１１】
この構成により、本発明に係る遊技機は、遊技の進行を契機としないコマンドを受信したことに基づいて、演出をステップ単位で実行させることができる。
また、本発明に係る遊技機において、
前記遊技制御手段は、予め定められた周期で制御を行う周期制御手段を有し、
前記周期制御手段は、
入力ポートから制御信号を入力するための入力ポート取得手段と、
前記遊技の進行を契機としないコマンドを生成する契機外コマンド生成手段と、を有し、
前記入力ポートから入力ポート状態格納領域に制御信号を格納する前に、前記入力ポート状態格納領域に記憶された制御信号を１周期前入力ポート状態格納領域に記憶した後に、現在の制御信号を前記入力ポート状態格納領域に記憶し、
前記入力ポート状態格納領域に記憶された制御信号と前記１周期前入力ポート状態格納領域の制御信号から制御信号の変化に関する情報を変化情報入力ポート状態格納領域に格納し、
前記契機外コマンド生成手段は、前記入力ポート状態格納領域の入力信号の状態を前記演出制御手段に送信するようにしてもよい。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
少なくとも一つの切削要素（４）を備え、
該切削要素（４）が、回転する少なくとも一つの切削リング（３）上に配置され、
前記切削要素（４）が、回転軸（１５）方向に隣接配置された複数の切削エッジ（６）を含むスリット輪郭（５）を有し、
個々の該切削エッジ（６）が、回転方向（１６）に延在する、内燃機関のシリンダ壁の加工装置（１）。
【請求項２】
前記切削要素（４）が、ダイヤモンドで作られるか、またはダイヤモンドを含む、請求項１に記載の装置（１）。
【請求項３】
前記切削要素（４）が、実質的に立方体であり、
前記スリット輪郭（５）が、切削溝（１４）により、立方体の前記切削要素（４）の表面のうちの１つに導入される、請求項１または２に記載の装置（１）。
【請求項４】
前記切削要素（４）が、保持装置（２０）上に配置され、
該保持装置（２０）が、具体的には前記切削リング（３）に解放可能に接続可能である、請求項１から３のいずれか一項に記載の装置（１）。
【請求項５】
前記切削リング（３）が、
実質的に一定の外半径を持つ少なくとも１つの外周セクション（７）と、
前記回転方向（１６）において連続的に変化する外半径を持つ少なくとも１つの外周セクション（８）と、
実質的に半径方向に伸びる外側エッジを持つ少なくとも１つの外周セクション（９）と、を有する、請求項１から４のいずれか一項に記載の装置（１）。
【請求項６】
前記切削要素（４）の一表面または前記保持装置（２０）の一表面が、前記回転方向（１６）において連続的に変化する外半径を持つ前記切削リング（３）の前記外周セクション上に位置し、
別の表面が、実質的に前記半径方向に伸びる外側エッジを持つ前記切削リング（３）の前記外周セクション上に位置する、請求項５に記載の装置（１）。
【請求項７】
第１の切削要素と第２の切削要素を含む前記切削要素（４）が、前記切削リング（３）上に配置され、
前記第１の切削要素（４）の少なくとも１つの切削エッジ（６）の前記回転軸（１５）に関する長手軸線上の位置が、第２の切削要素（４）の少なくとも１つの切削エッジ（６）の前記回転軸（１５）に関する前記長手軸線上の位置に対してオフセットされる、請求項１から６のいずれか一項に記載の装置（１）。
【請求項８】
少なくとも一つの前記切削リング（３）が、マンドレル（２）により共通の回転軸（１５）上に配置される、請求項１から７のいずれか一項に記載の装置（１）。
【請求項９】
前記切削リング（３）が、前記マンドレル（２）に取り付けられたときに、前記回転方向（１６）において任意の角距離で互いに対して回転されかつ解放可能に固定される、請求項８に記載の装置（１）。
【請求項１０】
前記切削リング（３）が、前記回転方向（１６）において連続的に変化する外半径を持つ少なくとも１つの外周セクション（８）内に、前記切削要素（４）を冷却するための冷却チャネル穴（１０）を有する、請求項１から９のいずれか一項に記載の装置（１）。
【請求項１１】
前記切削リング（３）が、切削過程中に生じた削屑を除去するために、実質的に一定の外半径を持つ少なくとも１つの外周セクション（７）内にフラッシング穴（１１）を有する、請求項１から１０のいずれか一項に記載の装置（１）。
【手続補正書】
【提出日】平成31年4月22日(2019.4.22)
【手続補正１】
【補正対象書類名】明細書
【補正対象項目名】００２０
【補正方法】変更
【補正の内容】
【００２０】
画像再構成部２１０が行う繰り返し演算Ｓ２２は、例えば図３に示すように、誤差最小化処理Ｓ３１、Ｌ１ノルム最小化処理（スパース変換処理）Ｓ３３、更新処理Ｓ３４などを含み、これらの処理を繰り返しながら、誤差が最小となる観測データを得る。Ｌ１ノルム最小化処理は、所定の基底変換を用いた処理である。基底変換には、Ｗａｖｅｌｅｔ変換、Ｃｕｒｖｅｌｅｔ変換、Ｔｏｔａｌ  Ｖａｒｉａｔｉｏｎ（ＴＶ）、離散コサイン変換（ＤＣＴ：ｄｉｓｃｒｅｔｅ  ｃｏｓｉｎｅ  ｔｒａｎｓｆｏｒｍ）、フーリエ変換、カルーネン・レーベ変換（ＫＬＴ：Ｋａｒｈｕｎｅｎ−Ｌｏｅｖｅ  ｔｒａｎｓｆｏｒｍ）等が含まれ、複数の基底変換を組み合わせて用いることで繰り返し演算の精度が向上する。本実施形態の画像再構成部２１０は基底選択部２１５を有しており、繰り返し毎に、基底変換を選択する処理Ｓ３２を行う。基底選択部２１５は、所定の選択基準に従って、繰り返し毎にＬ１ノルム最小化処理Ｓ３３で用いる基底変換の種類或いはその組み合わせを選択する。選択基準については以下の実施形態で詳述するが、このように繰り返し毎に、処理Ｓ３３で用いる基底変換を変更しながら繰り返し演算を実行することにより、複数の基底変換を用いることによる演算時間の延長を防止し且つ複数の基底変換を組み込んだ繰り返し演算を可能にする。
【手続補正２】
【補正対象書類名】明細書
【補正対象項目名】００２５
【補正方法】変更
【補正の内容】
【００２５】
データ処理部２００は、主として画像再構成のための演算を行う画像再構成部２１０と、付随する装置として、キーボード、マウス、タッチパネル、ボタン等を含む入力装置４１０と、ディスプレイ、プリンタ等を含む出力装置４３０と、磁気ディスク、光ディスク等を含み、データや所望のプログラムを記憶する記憶装置４５０とを備えている。ここでは出力装置４３０として表示装置４２０を備える場合を例に説明する。
【手続補正３】
【補正対象書類名】明細書
【補正対象項目名】００３４
【補正方法】変更
【補正の内容】
【００３４】
本実施形態では、候補内の基底変換を順番に利用することとし、選択基準として、現在の繰り返し回数を用いる。例えば、繰り返し回数がi（i回目の繰り返しである）において、Ｎ個の基底変換候補（Ψ０・・・ΨＮ−１）のうち選択される基底変換は、繰り返し回数iをＮで除算したときの剰余ｄを用いて、Ψdとなる。なお基底変換の順番は、特に限定されないが、観測データの性質（予測される性質）等を考慮して予め決めておいてもよい。
【手続補正４】
【補正対象書類名】明細書
【補正対象項目名】００３５
【補正方法】変更
【補正の内容】
【００３５】
［Ｌ１ノルム最小化Ｓ６４］
基底選択部２１５により選択された基底変換を用いて、Ｌ１ノルムを最小化する。Ｌ１ノルムを最小化する手法として、ｓｈｒｉｎｋａｇｅ処理が一般的に知られている。ｓｈｒｉｎｋａｇｅ処理のひとつであるｓｏｆｔ−ｓｈｒｉｎｋａｇｅ処理は次式で定義される。
【数４】
2018134199.tif 000001
ここで、Ｓはｓｈｒｉｎｋａｇｅ処理を意味し、λはパラメータである。
【手続補正５】
【補正対象書類名】明細書
【補正対象項目名】００４２
【補正方法】変更
【補正の内容】
【００４２】
＜実施形態２＞
実施形態１では、予め定めた基底変換の順番に従って基底選択部２１５が基底変換を選択したが、本実施形態では、基底変換を選択する際に選択基準を動的に変更させることで、より高速もしくは高画質な再構成画像を取得可能にする。
本実施形態においても、装置の全体構成は実施形態1と同様であり、重複する説明は省略する。以下、実施形態１と異なる点を中心に、本実施形態の画像再構成部の処理、特に基底選択部２１５の処理を説明する。
【手続補正６】
【補正対象書類名】明細書
【補正対象項目名】００４４
【補正方法】変更
【補正の内容】
【００４４】
以下、重み算出部２１７および基底選択部２１５の処理について説明する。
重み算出部２１７は、各基底変換における重みｗを算出し、基底選択部２１５に送信する。重みｗは基底変換の候補数と同じ次元のベクトルであり、一般には０〜１の値を持つ。
重みの算出には、各基底変換後のＬ１ノルム、更新ベクトルの大きさ、入力部から送信されたユーザの嗜好、撮像部１００から送信された撮影パラメータ等のうちからひとつ、もしくはそれらの組み合わせを利用する。
【手続補正７】
【補正対象書類名】明細書
【補正対象項目名】００５１
【補正方法】変更
【補正の内容】
【００５１】
まず重みを比の形に整理し選択回数とする。この例では５：３：２となる。このとき適切な閾値をもちいて整数化してもよい。次に選択回数の総和分の選択順序テーブル７００を生成する。この例では１０回である。選択回数の大きい順に選択間隔が均等になるよう選択順序テーブルを埋めていく。例えば基底変換Ａの選択回数は５であるため、図１０上段に示すように埋められる。基底変換ＢおよびＣについても、順次、図１０中段、下段に示すように埋めることで、偏りのない選択順序が生成できる。各繰り返しにおいて、基底選択部２１６は算出した順序テーブル７００に従って、基底変換を選択する。繰り返し回数が順序テーブル７００の大きさを超えるときは、順序テーブル７００の最初に戻る。
【手続補正８】
【補正対象書類名】明細書
【補正対象項目名】００５６
【補正方法】変更
【補正の内容】
【００５６】
一例として、３種類の基底変換候補から、２種類の基底変換を選択する場合について、重みを利用する手法を説明する。例えば、1つの基底変換を選択した場合と同様に、重みを確率として２種類の基底変換を選択してもよい。もしくは、図１１に示すように、実施形態２において1つの基底変換を選択する際に使用した順序テーブル７００と同様の順序テーブル８００を作成し、２回の繰り返しに相当する２個の枠（太線で示す）８０１をひとまとめにして１回の繰り返し分とする順序テーブル８００を作成する。図１１に示す例では、一つの枠内に同一の基底変換が含まれないが、重みによって或いは３種類以上を選択する場合、一つの枠に同一基底変換が含まれる可能性がある。これを避けるために、同一の基底変換が選択されないことを制約条件としてもよい。
【手続補正９】
【補正対象書類名】図面
【補正対象項目名】図１
【補正方法】変更
【補正の内容】
【図１】
2018134199.tif 000002
【手続補正１０】
【補正対象書類名】図面
【補正対象項目名】図１１
【補正方法】変更
【補正の内容】
【図１１】
2018134199.tif 000003
【手続補正書】
【提出日】平成31年2月13日(2019.2.13)
【手続補正１】
【補正対象書類名】明細書
【補正対象項目名】０００５
【補正方法】変更
【補正の内容】
【０００５】
以上の課題を解決するため、請求項１に記載の発明は、
複数の識別情報を変動表示する変動表示ゲームの結果が特別結果となった場合に遊技者に遊技価値を付与する特別遊技状態を発生する遊技機において、
遊技球が入賞不能な閉状態と遊技球が入賞可能な開状態とに変換可能な普通変動入賞装置と、
前記特別遊技状態において遊技球が入賞不能な閉状態と遊技球が入賞可能な開状態とに変換可能であり、内部に遊技球が流入可能な特定領域を備える特別変動入賞装置と、
前記特別結果が発生する確率状態を、通常確率状態と、当該通常確率状態よりも高い高確率状態と、のいずれかに設定する確率制御手段と、
前記特別変動入賞装置に入賞した遊技球が前記特定領域へ流入したかを判定する判定手段と、
前記特別遊技状態の終了後、所定回数の前記変動表示ゲームを実行するまで、通常状態よりも前記普通変動入賞装置へ遊技球が入賞しやすい電サポ状態を発生可能な電サポ制御手段と、
前記高確率状態の継続回数をカウントするカウント手段と、を備え、
前記確率制御手段は、
遊技球が前記特定領域に流入したと判定されなかった場合には、前記特別遊技状態の終了後における前記確率状態を前記通常確率状態に設定し、
遊技球が前記特定領域に流入したと判定された場合であって、前記継続回数が所定の上限回数に達していない場合には、前記特別遊技状態の終了後における前記確率状態を前記高確率状態に設定し、
遊技球が前記特定領域に流入したと判定された場合であって、前記継続回数が前記所定の上限回数に達している場合には、前記特別遊技状態の終了後における前記確率状態を前記通常確率状態に設定し、
前記カウント手段は、所定条件の成立に基づいて、前記継続回数をリセットすることを特徴とする。
【手続補正２】
【補正対象書類名】特許請求の範囲
【補正対象項目名】全文
【補正方法】変更
【補正の内容】
【特許請求の範囲】
【請求項１】
複数の識別情報を変動表示する変動表示ゲームの結果が特別結果となった場合に遊技者に遊技価値を付与する特別遊技状態を発生する遊技機において、
遊技球が入賞不能な閉状態と遊技球が入賞可能な開状態とに変換可能な普通変動入賞装置と、
前記特別遊技状態において遊技球が入賞不能な閉状態と遊技球が入賞可能な開状態とに変換可能であり、内部に遊技球が流入可能な特定領域を備える特別変動入賞装置と、
前記特別結果が発生する確率状態を、通常確率状態と、当該通常確率状態よりも高い高確率状態と、のいずれかに設定する確率制御手段と、
前記特別変動入賞装置に入賞した遊技球が前記特定領域へ流入したかを判定する判定手段と、
前記特別遊技状態の終了後、所定回数の前記変動表示ゲームを実行するまで、通常状態よりも前記普通変動入賞装置へ遊技球が入賞しやすい電サポ状態を発生可能な電サポ制御手段と、
前記高確率状態の継続回数をカウントするカウント手段と、を備え、
前記確率制御手段は、
遊技球が前記特定領域に流入したと判定されなかった場合には、前記特別遊技状態の終了後における前記確率状態を前記通常確率状態に設定し、
遊技球が前記特定領域に流入したと判定された場合であって、前記継続回数が所定の上限回数に達していない場合には、前記特別遊技状態の終了後における前記確率状態を前記高確率状態に設定し、
遊技球が前記特定領域に流入したと判定された場合であって、前記継続回数が前記所定の上限回数に達している場合には、前記特別遊技状態の終了後における前記確率状態を前記通常確率状態に設定し、
前記カウント手段は、所定条件の成立に基づいて、前記継続回数をリセットすることを特徴とする遊技機。
【請求項２】
前記電サポ制御手段は、
遊技球が前記特定領域に流入したと判定されなかった場合には、前記特別遊技状態の終了後、Ｎ回の前記変動表示ゲームを実行するまで、前記電サポ状態を発生可能であり、
遊技球が前記特定領域に流入したと判定された場合には、前記特別遊技状態の終了後、（Ｍ＋Ｎ）回の前記変動表示ゲームを実行するまで、前記電サポ状態を発生可能であり、
前記確率制御手段は、遊技球が前記特定領域に流入したと判定された場合には、前記特別遊技状態の終了後、Ｍ回の前記変動表示ゲームを実行するまで、前記確率状態を前記高確率状態に設定し、
前記カウント手段は、遊技球が前記特定領域に流入したと判定された場合には、前記Ｍ回の変動表示ゲームの終了に伴う前記確率状態の前記高確率状態から前記通常確率状態への切り替わりに基づいて、前記継続回数をリセットすることを特徴とする請求項１に記載の遊技機。